(57)【要約】      （修正有）【課題】手の不自由な人や老人等が、茶碗等の食器を容易に手に持って扱うことができる食器保持具を提供する。【解決手段】食器Ａに対して着脱自在に取り付けられる食器保持具１であって、弾性を備えた樹脂製一体物として、食器の底部Ａ１を下方から着脱自在に受け入れるリング状受入部１０と、食器の上部開口縁Ａ２に着脱自在に係合する係合爪部２０と、リング状受入部１０と係合爪部２０とを両端に備えると共にその途中部をリング状受入部と係合爪部とが同方向を向くように曲げてなる帯状本体３０とからなる。【選択図】図２
0003187864.tif 000002
【実用新案登録請求の範囲】
【請求項１】
食器に対して着脱自在に取り付けられる食器保持具であって、弾性を備えた樹脂製一体物として、食器の底部を下方から着脱自在に受け入れるリング状受入部と、食器の上部開口縁に着脱自在に係合する係合爪部と、前記リング状受入部と前記係合爪部とを両端に備えると共にその途中部を前記リング状受入部と前記係合爪部とが同方向に臨むように曲げてなる帯状本体とからなることを特徴とする食器保持具。
【請求項２】
帯状本体は、リング状受入部から立ち上がる立ち上がり部と、該立ち上がり部から後方へ屈曲して立ち下がる立ち下がり部と、該立ち下がり部から更に前方へ進出する進出部とからなり、進出部の先端に係合爪部が設けられていることを特徴とする請求項１に記載の食器保持具。
【請求項３】
帯状本体の立ち下り部を、把持用の取っ手として構成していることを特徴とする請求項２に記載の食器保持具。
【請求項４】
帯状本体の進出部に接続する係合爪部は、二股に分かれた一対の係合爪を備え、該一対の係合爪が立ち上り部を跨いで前方に臨む構成としていることを特徴とする請求項２又は３に記載の食器保持具。
【請求項５】
進出部を帯状本体の弾性復帰力に抗して上方に曲げることでリング状受入部と係合爪部との間隙を広げ、これによって係合爪部を食器の上部開口縁に着脱自在に弾性係合させる構成としていることを特徴とする請求項２〜４の何れかに記載の食器保持具。
【考案の詳細な説明】
【技術分野】
【０００１】
本考案は食器保持具に関し、より詳しくは、手の不自由な人や老人等が茶碗等の食器を容易に持つことができるようにするための食器保持具に関する。
【背景技術】
【０００２】
茶碗や丼碗等の碗物食器などは、容器に取っ手がついていないので、身障者や老人、幼児等にとっては、その食器を手に持って保持するのが必ずしも容易ではない。また取っ手が付いた食器であっても、手の不自由な人にとっては、それが持ちにくい場合がある。
手の不自由な人等のための食器や、或いは食器を持ち易くするための冶具等が、従来より提供されている。
特開平６−２８４９５１号公報（特許文献１）には、食器の開口部を内側に反らすことで、器内の料理を掬い易くした食器が開示されている。
実用新案登録第３０５３７６２号公報（特許文献２）には、大きな持ち手を外壁に複数個は取り付け、これによって持ち易く、また安定して設置できるようにした食器が開示されている。
特開平１１−２３５２６１号公報（特許文献３）には、スプーンに着脱自在に取り付ける補助具として、握力が低下した人にも使用できるようにした食卓用器具が開示されている。
特開２０００−１１６５５０号公報（特許文献４）には、親指に取り付け、食器の開口縁に引っ掛けることで、親指が食器に触れることなく食器を保持することができる食器保持具が開示されている。
特開２００８−１１９２４５号公報（特許文献５）には、長い蛇腹状の支柱の先端に食器を保持する容器を備え、支柱の基端にテーブル等へ取り付けるための洗濯挟み仕様のものを取り付けた食器の保持具が開示されている。
【先行技術文献】
【特許文献】
【０００３】
【特許文献１】特開平６−２８４９５１号公報
【特許文献２】実用新案登録第３０５３７６２号公報
【特許文献３】特開平１１−２３５２６１号公報
【特許文献４】特開２０００−１１６５５０号公報
【特許文献５】特開２００８−１１９２４５号公報
【考案の概要】
【考案が解決しようとする課題】
【０００４】
上記特許文献１、２に開示するものは食器そのものの考案であって、いわゆる冶具ではない。
特許文献３に開示するものは、スプーンに取り付けて有用であるが、茶碗等の椀物には適用できない。
特許文献４に開示するものは、椀物にも適用可能である。しかし冶具を親指に取り付け、これを椀の開口に引っ掛けることで椀を保持する機構である。従って親指に大きな負担が加わり、身障者等にとっては実際に椀を保持するのが容易ではないという問題がある。
特許文献５に開示するものは、食器を机等に保持するための保持具で、人が直接食器を持つための冶具ではない。
【０００５】
そこで本考案は上記従来技術の問題を解消し、手の不自由な人や老人等が、茶碗等の食器を容易に手に持って扱うことができる食器保持具の提供を課題とする。
【課題を解決するための手段】
【０００６】
本考案の食器保持具は、食器に対して着脱自在に取り付けられる食器保持具であって、弾性を備えた樹脂製一体物として、食器の底部を下方から着脱自在に受け入れるリング状受入部と、食器の上部開口縁に着脱自在に係合する係合爪部と、前記リング状受入部と前記係合爪部とを両端に備えると共にその途中部を前記リング状受入部と前記係合爪部とが同方向に臨むように曲げてなる帯状本体とからなることを第１の特徴としている。
また本考案の食器保持具は、上記第１の特徴に加えて、帯状本体は、リング状受入部から立ち上がる立ち上がり部と、該立ち上がり部から後方へ屈曲して立ち下がる立ち下がり部と、該立ち下がり部から更に前方へ進出する進出部とからなり、進出部の先端に係合爪部が設けられていることを第２の特徴としている。
また本考案の食器保持具は、上記第２の特徴に加えて、帯状本体の立ち下り部を、把持用の取っ手として構成していることを第３の特徴としている。
また本考案の食器保持具は、上記第２又は第３の特徴に加えて、帯状本体の進出部に接続する係合爪部は、二股に分かれた一対の係合爪を備え、該一対の係合爪が立ち上り部を跨いで前方に臨む構成としていることを第４の特徴としている。
また本考案の食器保持具は、上記第２〜第４の何れかの特徴に加えて、進出部を帯状本体の弾性復帰力に抗して上方に曲げることでリング状受入部と係合爪部との間隙を広げ、これによって係合爪部を食器の上部開口縁に着脱自在に弾性係合させる構成としていることを第５の特徴としている。
【考案の効果】
【０００７】
請求項１に記載の食器保持具によれば、弾性を備えた樹脂製一体物の冶具として、帯状本体の一端に備えられたリング状受入部で、茶椀や丼椀等の食器の底部を受け入れ、帯状本体の他端に備えられると共に前記リング状受入部と同方向に臨む係合爪部で、食器の上部開口縁に係合することができる。これによって、食器保持具を容易に食器に取り付け、食器を保持することができる。
よって手の不自由な人、老人、幼児等でも、食器に取り付けた食器保持具の帯状本体の途中部分を手で持つことで、食器を食器保持具と共に容易に持ち上げて保持し、扱うことができる。
食器保持具は一体物であるので取り扱いが容易である。また弾性を備えているので、食器に取り付けて保持する場合、その取り付け保持に弾性力が加わるので、食器保持具による食器の保持がより確実となって、容易に外れて落下する等の不都合も防止される。
【０００８】
請求項２に記載の食器保持具によれば、上記請求項１に記載の構成による作用効果に加えて、帯状本体がリング状受入部から立ち上がる立ち上がり部と、該立ち上がり部から後方へ屈曲して立ち下がる立ち下がり部と、該立ち下がり部から更に前方へ進出する進出部とからなることで、食器保持具の帯状本体が略１回転した状態に構成され、これによって食器保持具により大きな構造的弾性を付与することができる。よって食器に食器保持具を取り付けて保持する場合に、リング状受入部に対する係合爪部の高さ方向の距離をより柔軟に大きく変化させることができると共に、より大きな弾性付勢力をもって食器に確実に取り付いて保持することができる。
また立ち上がり部を設けることで、リング状受入部に底部が受け入れられた食器の外側部に立ち上がり部が当接し、これを側方から支持することができる。よって食器をより安定して保持することができる。
また立ち上がり部と立ち下がり部と進出部とによって、それらの内側に空間部が構成されるので、該空間部を手の差し入れ空間部として、容易に手を差し入れることができ、立ち下がり部を掴むことができる。
【０００９】
請求項３に記載の食器保持具によれば、上記請求項２に記載の構成による作用効果に加えて、帯状本体の立ち下り部を、把持用の取っ手として構成しているので、該取っ手を手で掴むことによって、容易に食器を持ち上げたり移動させたりすることができる。
【００１０】
請求項４に記載の食器保持具によれば、上記請求項２又は３に記載の構成による作用効果に加えて、係合爪部が二股に分かれた一対の係合爪を備え、この一対の係合爪が帯状本体の立ち上がり部を跨いで前方に臨むようにしているので、この一対の係合爪によって、食器の上部開口縁の離間する２箇所に係合することができ、これによってリング状受入部による食器底部の受け入れと合わせて計３箇所での食器への取り付けができ、食器への取り付け保持が確実となる。
しかも、一対の係合爪は二股に分かれて帯状本体の立ち上がり部を跨いだ状態に構成されるので、略一回転する帯状本体がそのクロス部分においても何ら回転軸方向に捩れることがなく、よって十分に安定した姿勢でもって食器に取り付けることができる。
【００１１】
請求項５に記載の食器保持具によれば、上記請求項２〜４の何れかに記載の構成による作用効果に加えて、進出部を帯状本体の弾性復帰力に抗して上方に曲げることでリング状受入部と係合爪部との間隙を広げ、これによって係合爪部を食器の上部開口縁に着脱自在に弾性係合させる構成としているので、
係合爪部を上方に曲げることで、高さの異なる食器に対しても容易に対応することができる。弾性復帰力に抗して一旦上方に曲げてから食器の上部開口縁に係合させるので、十分な弾性復帰力を十分に利用して確実に取り付け、食器を保持することができる。
【図面の簡単な説明】
【００１２】
【図１】本考案の食器保持具の全体斜視図である。
【図２】本考案の食器保持具で、食器に取り付けた状態を示す全体斜視図である。
【考案を実施するための形態】
【００１３】
以下の図面を参照して、本考案の食器保持具を説明し、本考案の理解に供する。しかし、以下の説明は本考案の実用新案登録請求の範囲に記載の考案を限定するものではない。
【００１４】
図１、図２を参照して、本考案に係る食器保持具１は、食器Ａに対して着脱自在に取り付けられる治具である。食器Ａに取り付けられた食器保持具１を持つことで、取っ手のついていない食器でも容易に持ち上げたり、移動したりして取り扱うことができる。
【００１５】
食器保持具１は、全体として弾性を備えた樹脂製の一体物として構成される。樹脂の種類は特に限定されるものではなく、適当に湾曲できるような弾性を備えた樹脂であればよい。
食器保持具１は、リング状受入部１０と係合爪部２０と、その両者を両端に備える帯状本体３０とからなる。
【００１６】
前記リング状受入部１０は、食器Ａの底部Ａ１を下方から受け入れるための部分で、リング状に形成されている。このリング状受入部１０は、茶碗、丼椀を典型的な適用対象物として、底部が窄まった形状の食器に対して有効で、食器Ａの底部Ａ１をリングの上からリング内に受け入れることで、食器Ａを受け止めることができるように構成されたものである。言い換えると、リング状受入部１０の開口を通り抜けてしまうような食器には適用できない。またリング状受入部１０の開口に全く入り込まない底部をもつ食器にも適用できない。
前記係合爪部２０は、食器Ａの上部開口縁Ａ２に係合するための部分である。該係合爪部２０は二股に分かれた一対の係合爪２１、２１を備えている。この一対の係合爪２１、２１が食器Ａの上部開口縁Ａ２に、相互に離間して係合することになる。
【００１７】
前記帯状本体３０は、前記リング状受入部１０の外周縁の一部から立ち上がる立ち上がり部３１と、該立ち上がり部３１から後方へ屈曲する屈曲部３２を経て立ち下がる立ち下がり部３３と、該立ち下がり部３３から前方へ屈曲する屈曲部３４を経て前方へ進出する進出部３５とからなる。進出部３５の先端に前記係合爪部２０が設けられている。
係合爪部２０は、リング状受入部１０と同方向に臨んでいる。即ち前記帯状本体３０は、立ち上がり部３１から屈曲部３２、立ち下り部３３、屈曲部３４、進出部３５と進むことで、略１回転した構成となり、進出部３５の先端に設けられた係合爪部２０がリング状受入部１０と同方向に臨む構成となる。
前記帯状本体３０は、略１回転するような構成とされることで、帯状本体３０自体に構造的な弾性が付与される。従って帯状本体３０自体が比較的固い材質の樹脂であっても、前記屈曲部３２、３４を中心に帯状本体３０の屈曲具合をかなり大きく弾性変化させることができる。この屈曲の自由度の大きさは、係合爪部２０の位置をかなり大きく上下方向にも移動させることにつながり、高さの異なる様々な食器Ａへの取り付けを可能とする。即ち、背の低い椀状食器から背の高いコップ状の食器まで、かなりの適用範囲を保持することができる。
【００１８】
前記係合爪部２０の前記一対の係合爪２１、２１は、前記帯状本体３０の立ち上がり部３３を二股に跨いで、前方に臨む構成となっている。各係合爪２１、２１の先端は下向きに曲がって形成されている。
係合爪部２０が二股に構成されることで、該係合爪部２０は容易に帯状本体３０の立ち上がり部３１を迂回して越え、前方へ臨むことができ、食器Ａの上部開口縁Ａ２に難なく係合することができる。
また一対の係合爪２１、２１が立ち上がり部３１を二股に跨ぐことで、係合爪部２０と立ち上がり部３１とがクロスする部分においても、帯状本体３０の回転円が円軸方向に何ら捩じれることなく、１回転することができる。これにより食器保持具１は十分に安定した姿勢をもって食器Ａに取り付くことができる。
係合爪部２０は、前記２つの屈曲部３２、３４を介して、前後方向及び上下方向にかなりの距離を弾性変位することができる。従って上部開口縁Ａ２の口径、高さが異なる食器Ａに対しても、かなりの自由度をもって取り付くことができる。
【００１９】
前記帯状本体３０の立ち上がり部３１は、該立ち上がり部３１が食器Ａの外側壁に沿った状態となるので、リング状受入部１０に底部Ａ１が受け入れられて載った食器Ａを側方から支持することが可能となり、食器Ａの安定性を増すことができる。
立ち上がり部３１はリング状受入部１０の外周縁の一部から帯状本体３０が屈曲して立ち上がることで形成されるが、略垂直或いは少し後方に傾斜した状態に形成することができる。そして立ち上がり部３１はリング状受入部１０に対して前後方向への弾性を保持しているので、椀等の食器Ａの大きさや、食器Ａの側壁の立ち上がり湾曲度等が多少変わっても、食器Ａに沿うように弾性変位することができる。従って大小様々な椀状食器、湯呑み、ガラスコップ等にも適用可能である。
【００２０】
本実施形態に係る食器保持具１の食器Ａへの取り付けを説明する。図２に示す食器Ａは茶碗を想定している。
取り付けは、先ず食器Ａの底部Ａ１に対して、食器保持具１のリング状受入部１０を下方から宛がい、リング状受入部１０の開口に食器Ａの底部Ａ１を受け入れる。次に、帯状本体３０の立ち下がり部３３と進出部３５乃至係合爪部２０を手で掴むようにしながら、係合爪部２０を弾性復帰力に抗して上方且つ少し後方へ曲げながら持ち上げ、一対の係合爪２１、２１を食器Ａの上部開口縁Ａ２に引っ掛ける。これにより食器保持具１の食器Ａへの取り付け保持が完了する。食器Ａの上部開口縁Ａ２に引っ掛けられた係合爪部２０は弾性復帰力により下方に付勢されるので、リング状受入部１０との間で食器Ａを確実に保持することができる。
【００２１】
使用者は、取っ手等が設けられていない茶碗等の食器Ａであっても、該食器Ａに取り付けられた食器保持具１の立ち下がり部３３を取っ手として把持することで、容易に食器Ａを持ち上げたり移動させたりすることができる。
よって手の不自由な人、老人、幼児等を対象として、食事等の介護冶具として利用価値が高い。
【００２２】
食器保持具１の取り外しは、食器Ａの上部開口縁Ａ２に引っ掛けられた係合爪部２０を、弾性復帰力に抗して上に持ち上げることで容易に行える。
【００２３】
本考案の食器保持具１の適用できる食器Ａは、湯飲み椀、茶碗、丼椀等の椀の他、底部に対してテーパの付いた側壁部を有するコップも可能である。
【産業上の利用可能性】
【００２４】
本考案の食器保持具１は、身障者等が使用する食器保持の冶具として有用であり、産業上の利用可能性がある。
【符号の説明】
【００２５】
１        食器保持具
１０      リング状受入部
２０      係合爪部
２１      係合爪
３０      帯状本体
３１      立ち上がり部
３２      屈曲部
３３      立ち下がり部
３４      屈曲部
３５      進出部
Ａ        食器
Ａ１      底部
Ａ２      上部開口縁
【図１】
0003187864.tif 000003
【図２】
0003187864.tif 000004